(57)【要約】【課題】ＴＶ等の受信装置と録画機器とが接続された録画システムにおいて、ユーザから録画指示のあった時点からの映像及び音声信号を全て録画機器に録画する。【解決手段】ＴＶ１０は、録画機器４０とＩＥＥＥ１３９４ケーブル３２を介して接続される。ＴＶ１０は、ＴＶ１０で受信した映像及び音声信号に対する録画指示を検知すると録画機器４０を起動させるＣＰＵ２５と、録画指示を検知した時点から映像及び音声信号を記憶するバッファ用メモリ３０とを備える。ＣＰＵ２５は、録画機器４０が起動完了したことを検知するとバッファ用メモリ３０に記憶した映像及び音声信号を、ＩＥＥＥ１３９４ケーブル３２を介して録画機器４０へ転送する。【選択図】図１
2009111678.tif 000002
【特許請求の範囲】
【請求項１】
映像及び音声信号を受信する受信装置と、該受信装置で受信した映像及び音声信号を記録する録画機器とを備えた録画システムであって、
前記受信装置は、該受信装置で受信した映像及び音声信号に対する録画指示を検知すると前記録画機器を起動させる録画制御手段と、前記録画指示を検知した時点から映像及び音声信号を記憶する記憶手段とを備え、
前記録画制御手段は、前記録画機器が起動完了したことを検知すると前記記憶手段に記憶した映像及び音声信号を前記録画機器へ転送することを特徴とする録画システム。
【請求項２】
請求項１に記載の録画システムにおいて、前記録画制御手段は、前記録画機器に対して該録画機器が起動完了したかどうかを定期的に問い合わせることにより、前記録画機器が起動完了したことを検知することを特徴とする録画システム。
【請求項３】
請求項１に記載の録画システムにおいて、前記録画制御手段は、前記録画機器から該録画機器の起動完了通知を受信することにより、前記録画機器が起動完了したことを検知することを特徴とする録画システム。
【請求項４】
請求項１乃至３のいずれか１項に記載の録画システムにおいて、前記受信装置と前記録画機器とは、映像及び音声信号を転送可能なデジタルインタフェースを介して接続されていることを特徴とする録画システム。
【請求項５】
請求項４に記載の録画システムにおいて、前記デジタルインタフェースは、ＩＥＥＥ１３９４であることを特徴とする録画システム。
【請求項６】
請求項１乃至５のいずれか１項に記載の録画システムにおいて、前記記憶手段は、前記受信装置に着脱可能に装着した外部メモリであることを特徴とする録画システム。
【請求項７】
請求項１乃至６のいずれか１項に記載の録画システムを構成する受信装置。
【発明の詳細な説明】
【技術分野】
【０００１】
本発明は、録画システム及び受信装置に関し、より詳細には、テレビ等の受信装置で受信した映像及び音声信号を外部の録画機器に録画するための録画システム及び該録画システムを構成する受信装置に関する。
【背景技術】
【０００２】
テレビと外部の録画機器とが連携できる商品がいくつか存在するが、これらの機器を用いてテレビから録画機器を制御して録画を行う際に、録画機器の録画開始準備（スタンバイ状態からの電源オンや起動処理など）が完了するまでの１分〜数分の間、映像及び音声信号を録画することができないという問題があった。
【０００３】
従来、テレビと録画機器とを備えた録画システムに関し、例えば、特許文献１には、テレビの一時メモリに静止画としてテレビの画面を保存した後に、この静止画をユーザ操作によりＶＴＲ等の録画機器に改めて録画保存する構成が記載されている。
また、特許文献２には、入力したＭＰＥＧ−ＰＳの映像ソースをＭＰＥＧ−ＴＳへ変換し、外部録画機器へ出力する方法が記載されている。外部録画機器へ映像ソースを出力する際に必要な変換処理を行うために、ＨＤＤをバッファ用メモリとして利用している。
【特許文献１】登録実用新案第３０２３２７０号公報
【特許文献２】特開２００４−２３５５８号公報
【発明の開示】
【発明が解決しようとする課題】
【０００４】
しかしながら、上記特許文献１に記載の考案の場合、ユーザ操作によって録画機器に静止画データが保存されるため、ユーザがＴＶに一時保存した静止画データをＶＴＲ等の録画機器に保存することを忘れてしまうと、別の静止画データを保存したいときに前の静止画データが残っていて保存できないケースや、うっかり前の静止画データを上書きして消去してしまうケースが起こり得る。
【０００５】
また、上記特許文献２に記載の発明の場合、記憶手段に所定量のＭＰＥＧ−ＰＳデータが蓄積されると、録画機器に対してデータの出力を開始するものであるため、録画機器の起動が完了していなくても、所定量のデータが蓄積された時点でデータの出力が開始されてしまうという問題がある。
【０００６】
本発明は、上述のごとき実情に鑑みてなされたものであり、ＴＶ等の受信装置と録画機器とが接続された録画システムにおいて、ユーザから録画指示のあった時点からの映像及び音声信号を全て録画機器に録画すること、を目的とする。
【課題を解決するための手段】
【０００７】
上記課題を解決するために、本発明の第１の技術手段は、映像及び音声信号を受信する受信装置と、該受信装置で受信した映像及び音声信号を記録する録画機器とを備えた録画システムであって、前記受信装置は、該受信装置で受信した映像及び音声信号に対する録画指示を検知すると前記録画機器を起動させる録画制御手段と、前記録画指示を検知した時点から映像及び音声信号を記憶する記憶手段とを備え、前記録画制御手段は、前記録画機器が起動完了したことを検知すると前記記憶手段に記憶した映像及び音声信号を前記録画機器へ転送することを特徴としたものである。
【０００８】
第２の技術手段は、第１の技術手段において、前記録画制御手段は、前記録画機器に対して該録画機器が起動完了したかどうかを定期的に問い合わせることにより、前記録画機器が起動完了したことを検知することを特徴としたものである。
【０００９】
第３の技術手段は、第１の技術手段において、前記録画制御手段は、前記録画機器から該録画機器の起動完了通知を受信することにより、前記録画機器が起動完了したことを検知することを特徴としたものである。
【００１０】
第４の技術手段は、第１乃至第３のいずれか１の技術手段において、前記受信装置と前記録画機器とは、映像及び音声信号を転送可能なデジタルインタフェースを介して接続されていることを特徴としたものである。
【００１１】
第５の技術手段は、第４の技術手段において、前記デジタルインタフェースは、ＩＥＥＥ１３９４であることを特徴としたものである。
【００１２】
第６の技術手段は、第１乃至第５のいずれか１の技術手段において、前記記憶手段は、前記受信装置に着脱可能に装着した外部メモリであることを特徴としたものである。
【００１３】
第７の技術手段は、第１乃至第６のいずれか１の技術手段における録画システムを構成する受信装置である。
【発明の効果】
【００１４】
本発明によれば、ＴＶ等の受信装置と録画機器とが接続された録画システムにおいて、録画機器が起動完了するまでの間、映像及び音声信号をＴＶで記憶し、録画機器が起動完了した時点で映像及び音声信号をＴＶから録画機器へ全て転送することができるため、ユーザが意図したタイミングで番組録画が可能となり、番組の取り逃しを極力少なくすることができる。
【発明を実施するための最良の形態】
【００１５】
以下、添付図面を参照しながら、本発明の録画システム及び該録画システムを構成する受信装置の好適な実施の形態について説明する。
【００１６】
図１は、本発明の一実施形態に係る録画システムの構成例を示すブロック図で、図中、１０はＴＶ等の受信装置（以下、ＴＶで代表する）、４０は録画機器を示す。本実施形態の場合、ＴＶ１０と録画機器４０とが、映像及び音声信号を転送可能なＩＥＥＥ１３９４ケーブル３２を介して接続されているものとする。
ＴＶ１０は、デジタル放送を受信する受信アンテナ１１と、デジタル放送の受信信号をチューニング（選局）するデジタルチューナ部１２と、チューニングされたデジタル放送のデータを復調するデジタル復調部１３とを備える。
【００１７】
また、ＴＶ１０は、電子番組ガイドの抽出や、復調されたデータの分離を行う分離部（ＤＭＵＸ）１４と、分離部１４で分離されたデジタル放送のビデオデータをデコードしたり、ビデオ情報を静止画としてキャプチャするビデオデコード／キャプチャ部１５と、デジタル放送のビデオ信号と図示しないアナログ入力や外部入力によるビデオ信号との切り換えを行うビデオセレクタ部１６と、分離部１４で分離された電子番組ガイドの処理や、ＯＳＤ（オンスクリーンディスプレイ）の表示処理を行うと共に、電子番組ガイドと予約情報とをミックスさせて表示する処理を行う電子番組ガイド／ＯＳＤ／予約処理部１７とを備える。
【００１８】
また、ＴＶ１０は、分離部１４で分離されたオーディオデータをデコードするオーディオデコード部１８と、ビデオセレクタ部１６でセレクトされたビデオ信号と電子番組ガイドやＯＳＤとを合わせてからビデオ出力として変換するビデオ出力変換部１９と、デジタル放送のオーディオ信号と図示しないアナログ入力や外部入力によるオーディオ信号との切り換えを行うオーディオセレクタ部２０と、オーディオセレクタ部２０でセレクトされたオーディオ信号を出力信号に変換するオーディオ出力変換部２１と、ビデオ出力変換部１９から出力されたビデオ信号（映像信号）を表示する液晶ディスプレイ等の表示部２２と、オーディオ出力変換部２１からの出力信号に基づいて音声出力するスピーカ２３と、デジタルチューナ部１２での選局処理を行う選局部２４と備える。
【００１９】
また、ＴＶ１０は、本発明の主たる特徴部分である録画制御処理をはじめとする全体の処理を実行するＣＰＵ２５と、プログラムや電子番組ガイド、ユーザデータなどの各種データが格納される書き換え可能な不揮発性メモリ２６と、任意のアドレスを指定して読み書きすることが可能な半導体メモリであってＣＰＵ２５の作業領域となって不揮発性メモリ２６に格納されているプログラムを読み出したり、処理中のデータを一時的に格納するＲＡＭ２７とを備える。
【００２０】
また、ＴＶ１０は、電話回線，ＬＡＮ，インターネット等のネットワーク網との通信制御を行う通信制御部２８と、ユーザが操作するリモコンＲからの信号を受信するリモコン受光部２９と、映像及び音声信号を一時的にバッファリングするためのバッファ用メモリ３０と、ＩＥＥＥ１３９４ケーブル３２を接続し録画機器４０との間で映像及び音声信号，制御信号の送受信を行うためのＩＥＥＥ１３９４ Ｉ／Ｏ Ｉ／Ｆ３１とを備える。
【００２１】
本実施形態のバッファ用メモリ３０は、外部メモリ３０ｂを着脱可能に装着して入出力を行うための外部メモリ Ｉ／Ｏ Ｉ／Ｆ３０ａと、メモリカード等の外部メモリ３０ｂとを備える。
このバッファ用メモリは、外部メモリに限定されず、内蔵のＲＡＭなどを用いるようにしてもよいが、外部メモリを利用することにより、ユーザは必要に応じて所望のメモリ容量を確保することができる。
【００２２】
録画機器４０は、ＩＥＥＥ１３９４ケーブル３２を接続しＴＶ１０との間で映像及び音声信号，制御信号の送受信を行うためのＩＥＥＥ１３９４ Ｉ／Ｏ Ｉ／Ｆ４１と、ＴＶ１０から転送される映像及び音声信号を記憶するハードディスクドライブ（ＨＤＤ）やＤＶＤなどの録画デバイス４２とを備える。なお、録画機器４０はＩＥＥＥ１３９４等のデジタルインタフェースを備えたＨＤＤレコーダやＤＶＤレコーダであればよく、その他の構成に係る説明は省略する。
【００２３】
図１に示す録画システムにおいて、ＴＶ１０は、ＴＶ１０で受信した映像及び音声信号に対する録画指示を検知すると録画機器４０を起動させる録画制御手段に相当するＣＰＵ２５と、録画指示を検知した時点から映像及び音声信号を記憶する記憶手段に相当するバッファ用メモリ３０とを備える。ＣＰＵ２５は、録画機器４０が起動完了したことを検知するとバッファ用メモリ３０に記憶した映像及び音声信号を、ＩＥＥＥ１３９４ケーブル３２を介して録画機器４０へ転送する。なお、ＴＶ１０で受信される映像及び音声信号には、デジタルチューナ部１２により取得されるデジタル放送の番組データや、通信制御部２８によりインターネット等を介して取得される番組データなどが含まれる。
【００２４】
このように、ユーザから録画指示があった時点からの映像及び音声信号は一旦バッファ用メモリ３０に記憶される。そして、バッファ用メモリ３０に記憶された映像及び音声信号は、録画機器４０の起動が完了し録画可能になった後に、バッファ用メモリ３０に記憶された順に録画機器４０へ順次転送される。ここで、バッファ用メモリ３０は映像及び音声信号を録画機器４０へ転送しながら、ユーザが録画終了を指示するまで映像及び音声信号を記憶していく。この結果、ユーザから録画指示があった時点からの映像及び音声信号は全て録画機器４０に転送、記録される。
なお、上記の録画制御手段は、ＣＰＵ２５により実現されるものとして説明したが、この録画制御手段は録画制御プログラムとして不揮発性メモリ２６に格納されており、実行時にＣＰＵ２５がＲＡＭ２７に読み出して当該プログラムを実行することで実現される。
【００２５】
さらに具体的に説明するために、ユーザがＴＶ１０で番組を視聴中に、その番組を録画したいと思い、リモコンＲを操作してＴＶ１０に録画指示を行う場合を想定する。ＴＶ１０は、ユーザからの録画指示に応じて、録画機器４０に起動指示すると共に、番組データをバッファ用メモリ３０に記憶する。そして、ＴＶ１０は、録画機器４０が録画可能となった段階でバッファ用メモリ３０に記憶した番組データを録画機器４０に転送開始し、当該番組データを転送完了した時点で、一連の録画処理が終了する。
【００２６】
上記において、ＴＶ１０から録画機器４０への起動指示は、録画機器４０に起動指示するための制御信号をＩＥＥＥ１３９４ Ｉ／Ｏ Ｉ／Ｆ３１から送信することで行うことができる。
また、ＴＶ１０は録画機器４０が起動完了したことを検知する必要がある。このための方法として、例えば、録画機器４０に対して録画機器４０が起動完了したかどうかを定期的に問い合わせるための制御信号をＩＥＥＥ１３９４ Ｉ／Ｏ Ｉ／Ｆ３１から送信することにより、録画機器４０が起動完了したことを検知することができる。
【００２７】
また別の方法として、録画機器４０から録画機器４０の起動完了を通知するための制御信号をＩＥＥＥ１３９４ Ｉ／Ｏ Ｉ／Ｆ３１で受信することにより、録画機器４０が起動完了したことを検知するようにしてもよい。なお、機器間における制御信号を送受信するための手段として、本実施形態ではＩＥＥＥ１３９４を用いているが、ＨＤＭＩ（High Definition Multimedia Interface）のＣＥＣ（Consumer Electronics Control）機能や、ＬＡＮ、赤外線などを利用してもよく、その手段は問わないが、ＩＥＥＥ１３９４を利用することで、映像及び音声信号の転送と、制御信号の送受信とが１本のケーブルで簡単且つ高速に行うことができる。また、ＩＥＥＥ１３９４はデジタルインタフェースであるため、デジタル放送の番組データを録画する場合、その番組データを変換せずに転送することができる。
【００２８】
図２は、本発明の録画システムによる録画制御方法の一例を説明するためのフロー図である。本例は、図１に示した録画システムの構成に基づいて説明するものとし、ユーザはＴＶ１０においてある番組の映像及び音声を視聴しているものとする。
まず、ＴＶ１０は、ユーザ操作による録画指示があったかどうかを判定し（ステップＳ１）、録画指示がない場合（ＮＯの場合）、ステップＳ１において録画指示の待機状態に移行する。また、ステップＳ１において、録画指示があった場合（ＹＥＳの場合）、録画機器４０に起動指示を行い、起動処理を開始させる（ステップＳ２）。
そして、ＴＶ１０は、録画指示があった時点から映像及び音声信号をバッファ用メモリ３０に記憶する（ステップＳ３）。
【００２９】
次に、ＴＶ１０は、録画機器４０の起動処理が完了したかどうかを判定し（ステップＳ４）、録画機器４０の起動処理が完了していない場合（ＮＯの場合）、ステップＳ４において録画機器４０の起動処理の完了待ち状態に移行する。また、ステップＳ４において、録画機器４０の起動処理が完了した場合（ＹＥＳの場合）、バッファ用メモリ３０に記憶した映像及び音声信号を録画機器４０へ順に転送する（ステップＳ５）。
【００３０】
このように、番組の取り逃し期間を極力少なくするために、録画機器の起動完了までＴＶが映像及び音声信号をバッファリングし、録画機器の起動完了後に、ＴＶにバッファリングした映像及び音声信号を録画機器に転送することにより、ユーザから録画指示あった時点からの映像及び音声信号を全て録画機器に録画することができる。
【図面の簡単な説明】
【００３１】
【図１】本発明の一実施形態に係る録画システムの構成例を示すブロック図である。
【図２】本発明の録画システムによる録画制御方法の一例を説明するためのフロー図である。
【符号の説明】
【００３２】
１０…受信装置（ＴＶ）、１１…受信アンテナ、１２…デジタルチューナ部、１３…デジタル復調部、１４…分離部（ＤＭＵＸ）、１５…ビデオデコード／キャプチャ部、１６…ビデオセレクタ部、１７…電子番組ガイド／ＯＳＤ／予約処理部、１８…オーディオデコード部、１９…ビデオ出力変換部、２０…オーディオセレクタ部、２１…オーディオ出力変換部、２２…表示部、２３…スピーカ、２４…選局部、２５…ＣＰＵ、２６…不揮発性メモリ、２７…ＲＡＭ、２８…通信制御部、２９…リモコン受光部、３０…バッファ用メモリ、３０ａ…外部メモリ Ｉ／Ｏ Ｉ／Ｆ、３０ｂ…外部メモリ、３１，４１…ＩＥＥＥ１３９４ Ｉ／Ｏ Ｉ／Ｆ、３２…ＩＥＥＥ１３９４ケーブル、４０…録画機器、４２…録画デバイス。
【図１】
2009111678.tif 000003
【図２】
2009111678.tif 000004